(57)【要約】【課題】詰替え時に微粉末が周囲に飛び散ることがないようにした詰替え用の包装袋を提供すること。【解決手段】袋本体（１０）と、袋本体（１０）と略同じ長さを有する帯状体（２０）とからなる包装袋であって、袋本体の上部に開口孔（１１）が設けられ、帯状体の一端は折り返され、おりかえされた一端（２１）は開口孔（１１）を塞ぐように密封シールされている。シールされた帯状体の一端（２１）と、もう一方の一端（２２）または中間部分（２４）が袋本体（１０）に係止されている。【選択図】図１
2007297074.tif 000002
【特許請求の範囲】
【請求項１】
袋本体と、袋本体と略同じ長さを有する帯状体とからなる包装袋であって、
前記袋本体の上部に開口孔が設けられ、前記帯状体の一端は折り返され、該折り返された一端が前記開口孔を塞ぐように密封シールされていることを特徴とする、詰替え用の包装袋。
【請求項２】
前記シールされた帯状体の一端と、もう一方の一端または中間部分が袋本体に係止されていることを特徴とする、請求項１記載の詰替え用の包装袋。
【請求項３】
前記帯状体の折り返されていない方の一端に開口孔が設けられいることを特徴とする、請求項１又は２記載の詰替え用の包装袋。
【請求項４】
前記帯状体に設けられた開口孔近傍にエンボスが設けられていることを特徴とする、請求項１、２又は３記載の詰替え用の包装袋。
【請求項５】
前記袋本体がガゼット袋であることを特徴とする、請求項１、２、３又は４記載の詰替え用の包装袋。
【請求項６】
請求項１〜５のいずれか１項に記載の包装袋を用いて粉体が充填されている包装体。
【発明の詳細な説明】
【技術分野】
【０００１】
本発明は、詰替え用の包装袋に関するものであり、特には、微粉末状の内容物を詰替えるのに適した包装袋に関するものである。
【背景技術】
【０００２】
従来、軟包装袋に収容されている微粉末状の内容物をガラスびんやプラスチックボトルに移し替える際には、包装袋の一部を切り取り開封し、そこから内容物をガラスびんやプラスチックボトルの口元から中に収容していた。しかしその際に粉末が飛び散り、その粉末が例えば人間の呼吸器官に入ってむせってしまうなどの問題があった。
【発明の開示】
【発明が解決しようとする課題】
【０００３】
本発明は、微粉末状の内容物を収納した詰替え用の包装袋に関する以上のような問題に鑑みてなされたもので、詰替え時に微粉末が周囲に飛び散ることがないようにした詰替え用の包装袋を提供することを課題とする。
【課題を解決するための手段】
【０００４】
本発明の請求項１の発明は、袋本体と、袋本体と略同じ長さを有する帯状体とからなる包装袋であって、前記袋本体の上部に開口孔が設けられ、前記帯状体の一端は折り返され、該折り返された一端が前記開口孔を塞ぐように密封シールされていることを特徴とする、詰替え用の包装袋である。
【０００５】
このように請求項１記載の発明によれば、包装袋は、袋本体の上部に開口孔が設けられ、前記帯状体の一端は折り返され、該折り返された一端が前記開口孔を塞ぐように密封シールされた構造からなるので、包装袋を開口孔を設けた方からガラスびん等の容器に入れ、その後帯状体を引っ張ると、開口孔が開口してそこから内容物がガラスびん等の容器内に収容され、周辺の微粉末も容器内に収容され、外部に微粉末が飛び散ることがなくなる。
【０００６】
また、請求項２の発明は、第１の発明において、前記シールされた帯状体の一端と、もう一方の一端または中間部分が袋本体に係止されていることを特徴とする、詰替え用の包装袋である。
【０００７】
このように請求項２記載の発明によれば、シールされた帯状体の一端と、もう一方の一端または中間部分が袋本体に係止されているので、例えば、袋本体をひっくり返しても帯状体が袋本体から離れることがなく取扱いが便利である。
【０００８】
また、請求項３の発明は、第１又は第２の発明において、前記帯状体の折り返されていない方の一端に帯状開口孔が設けられていることを特徴とする、詰替え用の包装袋である。
【０００９】
このように請求項３記載の発明によれば、帯状体の折り返されていない方の一端に帯状開口孔が設けられているので、譬え包装袋全体がガラスびんの中に入ったとしても、帯状体の開口孔に引っかけるなどして帯状体を引き上げ容器本体の開口孔を開封することができる。
【００１０】
また、請求項４の発明は、第１、第２又は第３の発明において、前記帯状体に設けられ
た帯状開口孔近傍にエンボスが設けられていることを特徴とする、詰替え用の包装袋である。
【００１１】
このように請求項４記載の発明によれば、帯状体に設けられた帯状開口孔近傍にエンボスが設けられているので、容器本体と帯状体の帯状開口部近傍は容易に接着させることができる。
【００１２】
また、請求項５の発明は、第１、第２、第３又は第４の発明において、前記袋本体がガゼット袋であることを特徴とする、詰替え用の包装袋である。
【００１３】
このように請求項５記載の発明によれば、袋本体がガゼット袋であるので、例えば、コーヒー粉末等を収納する詰替え用の包装袋として好適である。
【００１４】
また、請求項６の発明は、請求項１〜５のいずれか１項に記載の包装袋を用いて粉末が充填されている包装体である。
【発明の効果】
【００１５】
このように本発明の詰替え用の包装袋は、内容物が微粉末状のものでも移し替えの際に粉末が舞うことなく詰替えが可能となり、人間の呼吸器官等に入ることを防ぐことが可能となる。
【発明を実施するための最良の形態】
【００１６】
本発明を一実施形態に基づいて以下に詳細に説明する。
本発明の詰替え用の包装袋は、例えば、図１、図２に示すように、袋本体（１０）と、袋本体と略同じ長さを有する帯状体（２０）とからなる包装袋（１）である。
【００１７】
そして、袋本体（１０）の上部に開口孔（１１）が設けられ、帯状体（２０）の一端は折り返され、該折り返された一端（２１）が開口孔（１１）を塞ぐように密封シールされていることを特徴とするものである。
【００１８】
袋本体（１０）の形状は、特には限定されず、二方シール袋、三方シール袋、四方シール袋、ガゼット袋、スタンディングパウチ等任意の形態が選択できるが、ガゼット袋は立体的で効率が良い。
【００１９】
帯状体（２０）の一方の端（２１）は折り返されて折り返された一端を形成し、もう一方の端には、開口された帯状開口孔（２２）が形成されている。そして帯状開口孔（２２）の袋本体（１０）と接着される側の周縁は接着性を付与するためエンボス状に加工が施されている。
【００２０】
袋本体（１０）の形状がガゼット袋の場合、その材質は、例えば、容器外側より、ポリプロピレンフィルム／ナイロンフィルム／酸化珪素蒸着ポリエチレンテレフタレートフィルム／ポリエチレン／シーラブルポリエチレンテレフタレートフィルムのような複合構成が考えられ、その場合、帯状体（２０）の材質構成は、容器内側より、シーラブルポリエチレンテレフタレートフィルム／ポリエチレン／酸化珪素蒸着ポリエチレンテレフタレートフィルム／ポリプロピレンフィルムのような複合フィルムが考えられる。
【００２１】
上記構成例は、特に浴用剤等吸着し易い内容物に適したものであり、汎用の構成例としては下記のような構成としても良い。すなわち、例えば、容器外側より、二軸延伸ポリプロピレンフィルム／酸化珪素蒸着ポリエチレンテレフタレートフィルム／線状低密度ポリエチレンのような複合構成が考えられ、その場合、帯状体（２０）の材質構成は、容器内
側より、線状低密度ポリエチレン／酸化珪素蒸着ポリエチレンテレフタレートフィルム／二軸延伸ポリプロピレンフィルムのような複合フィルムが考えられる。
【００２２】
袋本体（１０）と帯状体（２０）との接着は、ヒートシールあるいは粘着部材を介して行うことができる。また、帯状体（２０）のもう一方の一端（２２）または中間部分（２４）には、容器本体（１０）と接着可能な例えば粘着部材（２３）を付設しておくと、容器本体から帯状体が浮き上がることがなく便利である。
【００２３】
最後に、この詰替え用の包装袋の使用方法について述べる。すなわち、微粉体が充填されている詰替え用の包装袋を詰め替えるためのガラスびん（３０）に、袋本体（１０）を開口孔（１１）が設けられている方から突っ込み、ガラスびん（３０）の開口近傍に位置する帯状体の帯状開口孔（２２）を持って帯状体を引き上げるように引き出すと、帯状体（２０）は袋本体（１０）から分離して開口孔（１１）が露出する。
【００２４】
すると露出した開口孔（１１）から微粉末状の内容物（４０）がガラスびん（３０）に溜まる。袋本体を徐々に引き上げ、全量の移し替えが完了する。内容物（４０）である微粉末はガラスびんの中だけの飛び散りで済み、ガラスびんの外に出ることがなく、人間の呼吸器官に入ることもない（図３、図４参照）。
【図面の簡単な説明】
【００２５】
【図１】本発明の詰替え用の包装袋の一実施例を示す、斜視説明図である。
【図２】容器本体の開口孔に帯状体をシールしようとしている状態を示す、斜視説明図である。
【図３】帯状体がシールされた容器本体を引っくり返した状態の部分断面説明図である。
【図４】本発明の詰替え用の包装袋の内容物をびん容器に移し替えている状態を示す、斜視説明図である。
【符号の説明】
【００２６】
１‥‥詰替え用の包装袋
１０‥‥袋本体
１１‥‥開口孔
２０‥‥帯状体
２１‥‥折り返された一端
２２‥‥もう一方の端、帯状開口孔
２３‥‥粘着部材
２４‥‥中間部分
３０‥‥ガラスびん
４０‥‥内容物
【図１】
2007297074.tif 000003
【図２】
2007297074.tif 000004
【図３】
2007297074.tif 000005
【図４】
2007297074.tif 000006